(57)【要約】【課題】一対の表示保持用リレーの交互に起こるチャタリングを防ぐ。【解決手段】電源に対して検知用のスイッチ（１６２ｂ，１６１ｂ）とキープリレー１２２（（１６２ａ，１６１ａ）と１２４）が直列接続される。接地装置が切り状態から入り状態に切り替えられるか、または接地装置が入り状態から切り状態に切り替えられたとき、検知スイッチのオンオフ状態を反転させると、キープリレーの一方が付勢されて、リレースイッチのオンオフ状態が反転する。一対の検知スイッチが正常作動時は、一対の検知スイッチによって構成される２つの通電路のうち何れか一方が必ず開路されているので、検知スイッチの何れか一方が故障したときでも、他方の検知スイッチが正常に作動している限り、一対のキープリレーが交互に付勢されるようなチャタリング現象は生じない。【選択図】    図１
2007037308.tif 000002
【特許請求の範囲】
【請求項１】
入り状態と、切り状態をそれぞれ検知する第１および第２の検知手段を有する開閉検知装置であって、
この開閉検知装置は、上記第１および第２の検知手段によって検知された開閉状態を表示する開閉表示部と、
この開閉表示部の表示状態をコントロールする表示制御部とで構成され、
この表示制御部は、上記開閉表示部の表示状態を保持する保持手段を有し、
この保持手段は、上記第１および第２の検知手段を介して駆動電源に接続されてなる
ことを特徴とする開閉検知装置。
【請求項２】
上記保持手段は、一対のキープリレーと、
これらキープリレーによってそれぞれそのオンオフが切り替えられるリレースイッチで構成され、
これらリレースイッチは相反する切り替え状態となるように連動して切り替えられる
ことを特徴とする請求項１記載の開閉検知装置。
【請求項３】
上記切り状態から入り状態に切り替えられるか、または上記入り状態から切り状態に切り替えられたとき、上記第１および第２の検知手段のオンオフ状態が反転すると共に、
上記キープリレーの一方が付勢されることで、上記リレースイッチのオンオフ状態が反転制御される
ことを特徴とする請求項１記載の開閉検知装置。
【請求項４】
上記開閉表示部は、上記入り状態を示す表示灯と、
上記切り状態を示す表示灯と、
これら表示灯に対する駆動電圧を制御するスイッチ手段とを有する
ことを特徴とする請求項１記載の開閉検知装置。
【請求項５】
上記スイッチ手段は、上記リレースイッチに連動するリレーによって制御される
ことを特徴する請求項４記載の開閉検知装置。
【発明の詳細な説明】
【技術分野】
【０００１】
この発明は変電所などにおいて使用される断路器等などの開閉装置や、水車発電機の導水入口弁などに附属して設置される開閉検知装置に関する。詳しくは、開閉装置などの開閉状態を検知するための開閉検知装置であって、装置の開閉などに関連した表示状態をコントロールする表示制御部の一部に、縦続接続された一対の検知手段を設けることで、検知手段の一方に不具合が発生した場合でも、リレーなどで構成された表示制御部を保護できるようにしたものである。
【背景技術】
【０００２】
連系変電所や配電変電所などには、変電所と変電所との間の送電線の保守や点検あるいはこれら変電所の構内設備を保守・点検したりする場合、さらには非常時に送電線路と構内母線とを切断するための各種開閉装置が備えられている。この開閉装置としては周知のように断路器（ＬＳ）や遮断器（ＣＢ）などがあり、それらには保守・点検時に使用される接地装置（ＬＥ）が附属設備として設けられている。
【０００３】
例えば、図７に示すように送電線２，４，６間に設けられた変電所Ａ、変電所Ｂのうち変電所Ａ，Ｂ間に装架された送電線４を保守・点検するようなときであって、変電所Ａより変電所Ｂに向けて送電しているような場合には、その遮断作業手順としては変電所Ｂ→変電所Ａの順に行う。
【０００４】
まず受電端である変電所Ｂにあっては、遮断器を切断した後で断路器で母線を切断する。そして断路器のうち母線側（変圧器とは反対側）に接続された電極を接地装置を用いて接地する。その後変電所Ａ内の遮断器を切断した後で断路器で母線を切断すると共に、断路器のうち母線側（変圧器とは反対側）に接続された電極を接地装置を用いて接地する。このように、各変電所では遮断、断路を行った後に接地処理を行ってから、実際の保守・点検作業が行われる。
【０００５】
図８は変電所などに設置された断路器１０の一例を示す概略構成図である。図８は回転式の断路器を示し、複数の支柱１２によって所定の地上高のところに基礎フレーム（基台）１４が架設される。基礎フレーム１４の上には所定の間隔を保持して第１および第２のがいし１８，２２が植立・固定される。がいし１８，２２は所定の長さを有した長幹がいしが使用される。これらがいし１８，２２の頂部にはそれぞれ送電線に対する電気的接続点となる電極１９，２３が取り付けられている。
【０００６】
一対のがいし１８と２２との中間部であって、基礎フレーム１４の上には、回転機構２４を介して長幹がいし２６が回転自在に植立される。長幹がいし２６の頂部には回転指示部２８が設けられ、ここを中心として棒状をなす導電ブレード３０が取り付けられる。導電ブレード３０は、入り状態から切り状態側に回転し、そして切り状態から入り状態側に回転する。
【０００７】
導電ブレード３０としては導電性の優れた金属棒が使用され、その両端部は上述した電極１９，２３に嵌合できるようになされた電極部として機能する。回転機構２４には、駆動モータ（図示はしない）が連結され、操作盤などからの指示に基づいて駆動モータを駆動して、回転機構２４、したがって長幹がいし２６を反時計方向に回転駆動する。
【０００８】
一対の電極１９，２３のうち母線（送電線や構内母線）に接続される側の電極、この例では右側の電極２３側が、接地装置４０によって接地できるように構成されている。接地装置４０から説明すると、この接地装置４０は、大地に接地された導電性支持体４２と導電性の接地ブレード４６とを有する。導電性支持体４２の先端部付近が接地ブレード４６の回転支軸４４となる。接地ブレード４６はこの回転支軸４４を中心にしてこの例ではほぼ９０度回転するように構成されている。ほぼ９０度回転した位置であって、接地ブレード４６の接点４７と対峙する位置には、導電アーム５０に支持された電極５２が設けられている。導電アーム５０は長幹がいし２２の電極２３と接続されている。回転支軸４４には接地用駆動モータが連結されているが、図８にはそれらの構成は示されていない。
【０００９】
図８に示す断路器１０は３相の各相ごとに設けられているが、図８はその１相分のみが示されている。断路器１０によって母線を切断するときは、断路器用操作盤７０に設けられた操作スイッチ７２を操作する。この操作によって回転機構２４の回転に伴って導電ブレード３０も所定角度だけ回転する。図９鎖線図示の例では、ほぼ９０度回転する。これで、電極１９と、２３の間の電路が切断される。その後、接地装置用操作盤７４に設けられた操作スイッチ７６を操作して接地用駆動モータを駆動する。この駆動モータによって接地ブレード４６がほぼ９０度回転する。
【００１０】
接地ブレード４６がほぼ９０度回転すると、接地ブレード４６の接点４７が電極５２に嵌合（接合）する。この嵌合によって電極５２，したがって長幹がいし２２側の電極２３、換言すれば送電線４が接地板（図示はしない）を介して大地に接地される。変電所Ｂ側でも母線に接続される側に位置する断路器の電極が同じような接地装置を使用して接地される。変電所Ａ，Ｂ間の送電線の両端を接地することによって送電線の保守・点検作業を安全に遂行できる。
【００１１】
ここで、接地装置４０が完全に電極５２側に切り替わり、電極５２側が接地されたことを確認するため、接地装置４０に対する開閉検知装置８０が設けられている（図１０参照）。この開閉検知装置８０は直接的には接地装置４０に対する開閉検知であるが、間接的には断路器１０自体を開閉検知する手段として機能している。
【００１２】
接地装置４０に関連して設けられたこの開閉検知装置８０は接地ブレード４６を有する。この接地ブレード４６には、接地ブレード４６の回転状態を検知する検知手段が設けられている。図８の例では接地ブレード４６に関連して一対の検知手段を構成する検知スイッチ６１，６２が設けられる。
【００１３】
第１の検知スイッチ６１は接地ブレード４６のほぼ９０度回転位置を検出するためのスイッチであるので、この例では第１の検知スイッチ６１の操作子６１ｂは接地ブレード４６の回転支軸４４よりも右側に設けられ、そのスイッチ本体６１ａは操作子６１ｂがほぼ９０度回転した位置に対峙するように設けられる。この第１の検知スイッチ６１によって接地装置４０の閉じた状態つまり入り状態（オン状態）が検知される。
【００１４】
第２の検知スイッチ６２は接地ブレード４６の原位置を検知するためのスイッチである。そのため第２の検知スイッチ６２の操作子６２ｂは接地ブレード４６の接点４７側に設けられると共に、接地ブレード４６の原位置に対峙するように検知スイッチ６２の本体６２ａが設けられる。したがってこの第２の検知スイッチ６２によって接地装置４０の開いた状態つまり切り状態（オフ状態）が検知される。
【００１５】
これら検知スイッチ６１，６２は図１０に示す開閉検知装置８０の一部として組み込まれる。開閉検知装置８０は、接地装置４０の開閉状態を表示する開閉表示部８０Ａと、その表示状態をコントロールする表示制御部８０Ｂとで構成される。開閉表示部８０Ａは、表示部８２を有する。表示部８２は接地装置４０の入り状態を表示するためのもので、この例では赤色を発光する表示灯（ＬＥＤなど）８４が使用される。また、接地装置４０の切り状態を表示するため、上述とは異なる、例えば緑色を発光する表示灯（ＬＥＤなど）８６が使用される。表示灯８４，８６は操作盤７４の操作パネル側に設けられる（図８参照）。
【００１６】
表示灯８４，８６に対する表示電圧（駆動電圧＋５５Ｖ、−５５Ｖ）は、スイッチ手段９０によって制御される。スイッチ手段９０はリレー９２とそれによって可動される複数のスイッチで構成される。図１０の場合では、表示灯８４，８６用のスイッチ９４ｇ、９４ｒの他に、状態信号送出切り替えスイッチ９６が同時に連動して切り替えられる。状態信号Ｓａとは、接地装置４０が現在どのような状態（入り状態または切り状態）となっているかを遠隔制御盤１００に伝達するための信号である。遠隔制御盤１００側にもその操作パネルに表示部１０２が設けられ、入り状態用の表示灯１０４と、切り状態用の表示灯１０６とを有する。
【００１７】
一方、スイッチ手段９０は表示制御部８０Ｂによってそのオンオフ状態が制御される。表示制御部８０Ｂは上述した検知手段６０と、この検知手段６０によって制御される保持手段１２０とで構成されている。保持手段１２０は一対のリレー１２２，１２４が使用され、入り状態のときに付勢されるリレー（入り用リレー）１２２と、対応するリレースイッチ１２２ａが入り状態の検知スイッチ６１を介して駆動電源（＋５５Ｖ）に接続される。同様に、切り状態のときに付勢されるリレー（切り用リレー）１２４と、対応するリレースイッチ１２４ａが切り状態の検知スイッチ６２を介して駆動電源（＋５５Ｖ）に接続される。リレースイッチ１２２ａと１２４ａは連動して切り替えられると共に、これらリレースイッチ１２２ａ、１２４ａに関連してスイッチ制御部９０に設けられたリレースイッチ９２ａも連動して切り替えられる。
【００１８】
このように構成された従来の開閉検知装置８０の動作を簡単に説明する。図１０は接地装置４０が入り状態となっている場合のスイッチ制御例である。入り状態であるため、接地ブレード４６はほぼ９０度回転した位置にあるため、第１の検知スイッチ６１はオン状態であって、第２の検知スイッチ６２はオフ状態である。また、接地ブレード４６がほぼ９０度回転することで入り用リレー１２２が付勢されるため、リレースイッチ１２２ａ、１２４ａは図示の状態に切り替えられた状態となっている。
【００１９】
入り用リレー１２２が付勢されると、スイッチ手段９０のリレー９２が付勢されるため、それによって赤色用の表示灯８４が点灯（若しくは点滅）し、接地装置４０が入り状態となっていることを、現場作業者や現場責任者などが確認できる。それと同時にリレースイッチ９６が閉じるので、状態信号Ｓａが遠隔制御盤１００に供給される。状態信号Ｓａが得られると、遠隔制御盤１００でもその表示部１０２に設けられた入り用の表示灯１０４が点灯する。したがって、接地装置４０が設置された操作盤７４と、この遠隔制御盤１００の双方において接地装置４０の入り状態を確認できる。
【００２０】
接地ブレード４６を元の位置に戻すと、今度は第２の検知スイッチ６２がオンするので、切り用のリレー１２４が付勢される。切り用のリレー１２４が付勢されると、リレースイッチ９２ａがオフ状態（開状態）に切り替えられ、リレー９２への通電が解除される。その結果、今度は操作盤７４側に設けられた緑色用の表示灯８６が点灯すると共に、リレースイッチ９６がオフするため、状態信号Ｓａの送出が停止し、遠隔操作盤１００側でも接地装置４０が切り状態となったことを認知できる。
【００２１】
なお、接地開閉器付きの遮断器としては特許文献１などが知られている。断路器用電動操作器については特許文献２などが知られている。
【００２２】
【特許文献１】特開平０９−１２０７５８号公報
【特許文献２】特開２００１−２０２８５７号公報
【発明の開示】
【発明が解決しようとする課題】
【００２３】
ところで、開閉検知装置８０を図１０のように構成した場合であって、特に検知手段６０として１回路２接点式の検知スイッチ６１，６２を使用した場合には次のような問題を発生することがある。
【００２４】
検知スイッチ６１，６２としては何れも機械式スイッチが使用されるものであるから、経年変化などによって機械式スイッチが原位置に復帰しなくなる場合がある。図１１および図１２を用いて説明する。
【００２５】
図１１は接地装置４０が入り状態（入りモード）から切り状態（切りモード）に切り替わるときの例である。接地装置４０がほぼ９０度回転して入り状態となっているときは、図１０に示すように第１の検知スイッチ６１がオン状態、第２の検知スイッチ６２はオフ状態となっているから、接地装置４０を切り状態に戻した場合には、第１と第２の検知スイッチ６１，６２の切り替え状態は反転し、第１の検知スイッチ６１がオフ状態（図１１破線図示）となり、第２の検知スイッチ６２はオン状態となるはずである。
【００２６】
しかし、何らかの原因で例えば第１の検知スイッチ６１が正常に作動しなくなったときには、図１１のような切り替え状態となって、第１の検知スイッチ６１も第２の検知スイッチ６２も何れもオン状態になってしまう。その結果、まず第１の検知スイッチ６２側の通電路が閉成されるため、切り用リレー１２４が付勢されてリレースイッチ１２４ａ、１２２ａを図１１図示とは反対側に切り替える。そうすると今度は第１の検知スイッチ６１側の通電路が閉成されるため、入り用リレー１２２が付勢されて、リレースイッチ１２４ａ、１２２ａを再び反対側に切り替えることになり、この切り替え状態が繰り返されるチャタリング現象が起きてしまう。その結果、リレースイッチ１２２ａ、１２４ａなどがダメージを受け、損傷する場合がある。
【００２７】
図１２は接地装置４０が切り状態から入り状態に切り替わるときの例である。接地装置４０が原位置に戻されているとき（切り状態）となっているときは、図１０とは反対の切り替え状態となっている。つまり、第１の検知スイッチ６１がオフ状態、第２の検知スイッチ６２がオン状態となっている。
【００２８】
接地装置４０を入り状態にしたとき、何らかの原因で例えば第２の検知スイッチ６２が正常に作動せず、実線図示の切り替え状態になっているときには、図１２のような切り替え状態となる。このような場合においても、一対のリレー１２２，１２４が交互に付勢されてしまうので、図１１の場合と同じようなチャタリング現象が起きる。
【００２９】
接地装置４０に設けられた開閉検知装置８０のみならず、他の開閉装置の開閉状態を検知するために設けられる開閉検知装置においても、同じような開閉検知構成を採用する限り、上述したようなチャタリング現象が発生する可能性がある。変電所以外の電力関連施設においても、水車発電機における導水入口弁の全開および全閉状態を検知するために同様な開閉検知装置が設けられているので、上述したと同じような検知スイッチを使用する限り、同じようなチャタリング現象が発生する可能性がある。
【００３０】
そこで、この発明ではこのようなチャタリング現象が生じないようにした、開閉装置用の開閉検知装置を提案するものである。
【課題を解決するための手段】
【００３１】
上述した課題を解決するため、この発明に係る開閉検知装置では、入り状態と、切り状態をそれぞれ検知する第１および第２の検知手段を有する開閉検知装置であって、
この開閉検知装置は、上記入り状態と切り状態の開閉状態を表示する開閉表示部と、
この開閉表示部の表示状態をコントロールする表示制御部とで構成され、
この表示制御部は、上記開閉表示部の表示状態を保持する保持手段を有し、
この保持手段は、上記第１および第２の検知手段を介して駆動電源に接続されてなることを特徴とする。
【００３２】
この発明では、検知手段として２回路４接点式の検知スイッチを使用する。
これら検知スイッチは縦続接続される。したがって電源路に対して第１の検知スイッチと第２の検知スイッチおよび保持手段として機能するリレー（キープリレー）が直列接続される。
【００３３】
そして、接地装置が切り状態から入り状態に切り替えられるか、または接地装置が入り状態から切り状態に切り替えられたとき、第１および第２の検知スイッチのオンオフ状態を反転させる。これによって、キープリレーの一方が付勢されることで、リレースイッチのオンオフ状態が反転制御される。
【００３４】
一対の検知スイッチが正常に作動しているときは、これら一対の検知スイッチによって構成される２つの通電路のうち何れか一方が必ず閉路され、他方が開路された状態となっている。このとき、閉路された通電路に接続されたリレースイッチはオフ状態（開状態）に制御され、開路された通電路に接続されたリレースイッチはオン状態（閉状態）に制御されている。
【００３５】
そのため、第１および第２の検知スイッチの何れか一方が故障して、検知スイッチが元の位置に復帰しなかったときでも、他方の検知スイッチが正常に作動している限り、一対のキープリレーが交互に付勢されるようなチャタリング現象は生じない。
【００３６】
変電所などに設置される開閉装置の他に、発電所例えば水力発電所に設けられた水車発電機にも、その導水入口弁の開閉（全開および全閉）状態を検知するための開閉検知装置が設けられている。この場合、導水入口弁の全開状態を例えば弁の「入り状態」として定義し、全閉状態を弁の「切り状態」として定義すれば、上述したと同じ開閉動作によって導水入口弁の正常開閉状態および異常開閉状態を検知できる。
【発明の効果】
【００３７】
この発明では、表示状態を切り替え制御する表示制御部の中に、表示状態を保持する保持手段を設けると共に、この保持手段を縦続接続された一対の検知手段を介して駆動電源に接続するようにしたものである。
【００３８】
そして切り状態から入り状態に切り替えられるか、または入り状態から切り状態に切り替えられたとき、第１および第２の検知手段のオンオフ状態を反転させると共に、保持手段の一方が付勢されることで、保持手段用スイッチのオンオフ状態が反転制御される。
【００３９】
これによって、一対の検知手段が正常に作動しているときは、これら一対の検知手段によって構成される２つの通電路の間では、そのうち何れか一方が必ず閉路され、他方が開路された状態となっているため、一方の検知手段が故障しても他方の検知手段が正常である限り、保持手段が同時に付勢される状態を回避できる。
【発明を実施するための最良の形態】
【００４０】
続いて、この発明を断路器などの開閉装置に適用した開閉検知装置の一例を図面を参照して説明する。
【実施例１】
【００４１】
この実施例では変電所に使用されている開閉装置として断路器を例示する。図１はこの発明を断路器の附属設備である接地装置に適用した開閉検知装置８０の一例を示すもので、その要部系統図（接続図）を示す。図１は図１０に示した従来例の構成が踏襲されている。
【００４２】
この発明においても、開閉検知装置８０は開閉表示部８０Ａとその表示制御部８０Ｂとで構成される。
開閉表示部８０Ａは、接地装置４０の開閉状態を表示するためのもので、表示部８２を有する。この表示部８２には一対の表示灯８４，８６が設けられ、接地装置４０が開状態（電極２３が接地されていない状態）のとき緑の表示灯８６が点灯し、接地装置４０が閉状態（電極２３が接地されている状態）のとき赤の表示灯８４が点灯するように制御される。
【００４３】
そのため、表示部８２にはスイッチ手段９０が関連されている。スイッチ手段９０はリレー９２によってそのオンオフが連動して制御される複数のスイッチ９４ｇ、９４ｒ、９６で構成される。まず、接地装置４０の入り状態を示す表示灯８４の電源路にはリレースイッチ９４ｒが接続され、接地装置４０の切り状態を示す表示灯８６の電源路にはリレースイッチ９４ｇが接続される。そして、遠隔制御盤１００に対する状態信号Ｓａを送るための端子９８側にもリレースイッチ９６が接続される。
【００４４】
スイッチ手段９０を構成するリレー９２の電源路には、リレー９２の付勢状態を制御するための切り替えスイッチ９２ａが接続され、表示制御部８０Ｂによってそのオンオフが制御されるようになされている。
【００４５】
表示制御部８０Ｂは、上述したように接地装置４０によってそのオンオフが切り替えられる一対の検知スイッチ６１，６２（第１および第２の検知手段）と、これら検知スイッチ６１，６２の切り替え状態に応じて付勢状態が制御される保持手段１２０とで構成される。
【００４６】
検知スイッチ６１，６２は共に２回路４接点式のスイッチが使用される。つまり、第１の検知スイッチ６１は、連動して切り替わる第１および第２のスイッチ１６１ａ、１６１ｂで構成され、第２の検知スイッチ６２も、連動して切り替わる第１および第２のスイッチ１６２ａ、１６２ｂで構成される。
【００４７】
第１と第２の検知スイッチ６１と６２とによって接地装置４０、換言すれば接地ブレード４６の開閉状態が検知される。この発明でも図１０の場合と同じく、第１の検知スイッチ６１によって接地ブレード４６の閉状態（入り状態）が検知され、第２の検知スイッチ６２によって接地ブレード４６の開状態（切り状態）が検知される。
【００４８】
保持手段１２０はこの例でも一対のリレー（キープリレー）１２２，１２４が使用される。これらキープリレー１２２，１２４にはそれぞれによってそのオンオフが切り替えられるリレースイッチ１２２ａ、１２４ａを有する。リレースイッチ１２２ａと１２４ａとは連動して切り替えられる。ここで、説明の都合上、一方のキープリレー１２４と電源との間の電源路をＬａとし、他方のキープリレー１２２と電源との間の電源路をＬｂとし、さらにこれら電源路Ｌａ、Ｌｂのうち、一対の検知スイッチ６１と６２との間で形成される電源路（通電路）をＬａａ、Ｌｂｂとする。
【００４９】
この実施例では、接地装置４０が切り状態から入り状態に切り替えられるか、または接地装置４０が入り状態から切り状態に切り替えられたとき、第１および第２の検知スイッチ６１，６２のオンオフ状態（切り替え状態）が反転すると共に、キープリレー１２２，１２４の何れか一方が付勢されることで、リレースイッチ１２２ａ、１２４ａの切り替え状態（オンオフ状態）が反転制御される。
【００５０】
これによって、通常は一対の通電路Ｌａａ、Ｌｂｂのうち何れか一方が閉路され、他方が開路された状態となっている。一対の検知スイッチ６１，６２のうち何れか一方が故障したようなときは、何れの通電路Ｌａａ、Ｌｂｂとも開路状態となる。詳細は後述する。
【００５１】
図２は、上述した検知スイッチ６１，６２の一例を示す。図２はアクチュエータ式の検知スイッチを使用した場合で、この例では、リミットスイッチが使用される。リミットスイッチは、周知のように内蔵されたマイクロスイッチを、外的要因（雨水、油、塵埃など）による影響を回避できるようにケース内に組み込んだものである。
【００５２】
図２は第１の検知スイッチ６１の例であり、スイッチ本体（ケース本体）６１ａを有し、スイッチ本体６１ａには回動レバー１３０とローラ１３１で構成されたアクチュエータ１３２が突出して設けられている。回動レバー１３０は支点ｐを中心に回動できるように一方向に付勢されており、したがってこの回動レバー１３０を所定角範囲まで回動できるように、第１の検知スイッチ６１と操作子６１ｂ（図８参照）の相対位置が規制される。
【００５３】
この実施例においても従来と同じ位置（図８参照）に第１および第２の検知スイッチ６１，６２が取り付け固定される。そしてそれぞれの操作子６１ｂ、６２ｂによって第１および第２の検知スイッチ６１，６２が作動するようにこれら検知スイッチ６１，６２がフレーム１４に取り付け固定される。例えば、第１の検知スイッチ６１の場合には、操作子６１ｂの水平移動によって回動レバー１３０が回動するようにフレーム１４に取り付けられる。
【００５４】
このように取り付けることによって、接地ブレード４６が切り状態のときは図２Ａのように回動レバー１３０は鉛直方向に位置しているが、操作子６１ｂが当接すると、この例では時計方向に回動する（図２Ｂ）。接地ブレード４６が切り状態となるように操作されたときは、図２Ａの位置に復帰する。これは、回動レバー１３０は元の位置に自動的に復帰できるように付勢されているからである。
【００５５】
これによって、接地ブレード４６の入り状態を検知できる。第２の検知スイッチ６２は、接地ブレード４６の切り状態が検知されるように、その作動状態は第１の検知スイッチ６１と全く逆の動作となる。接地ブレード４６が切り状態のとき、図２Ｂの状態となる。
【００５６】
続いて、図１のように構成された開閉検知装置８０による開閉検知動作を、図１および図３以下を参照して説明する。
【００５７】
図１は、接地装置４０が切り状態にあるときのスイッチ切り替え状態を示す。
接地装置４０が切り状態であるときは、接地ブレード４６は図８の実線位置（原位置）に位置する。このとき、第１のスイッチ１６１ａと１６２ａとが共に閉じた状態であり、第２のスイッチ１６１ｂと１６２ｂとが共に開いた状態となるように、それぞれの切り替え状態が設定されているものとする。その結果、通電路Ｌａａは閉状態、通電路Ｌｂｂは開状態となっている。通電路Ｌａａは閉状態となった直後に、第２のリレー１２４が付勢されるので、リレースイッチ１２４ａは開いた状態に、リレースイッチ１２２ａは閉じた状態に切り替えられている。したがって、全体としての電源路Ｌａ、Ｌｂは共に開状態となる。
【００５８】
また、この切り替え状態のときは、開閉表示部８０Ａにあっては緑の表示灯８６のみが点灯状態となるように制御されると共に、状態信号Ｓａは送出されない状態となっている。
【００５９】
接地装置４０が切り状態のとき、保守・点検のため送電停止を確認した上で、図８の操作盤７４を操作するか、または遠隔制御盤１００を操作することで、接地ブレード４６がほぼ９０度回動する。接地ブレード４６が回動して図８の破線図示の位置まで持ち来されると、接地ブレード４６が電極２３に嵌合（接合）するので、この接地ブレード４６を介して電極２３が接地される。
【００６０】
したがって、まず接地ブレード４６が第２の検知スイッチ６２から離合した（切り離された）直後のスイッチ切り替え状態を図３に示す。この状態では、第１の検知スイッチ６１は状態変化はなく、第２の検知スイッチ６２のみが、対応する操作子６２ｂが回動レバー（ローラ）１３０から離れるので、第２の検知スイッチ６２は原位置に自動復帰し、図３のように第１のスイッチ１６２ａがオフ状態、第２のスイッチ１６２ｂがオン状態のように自動的に切り替えられる。その結果、この図３の状態では、電源路Ｌａ、Ｌｂの何れもが閉成されず、開成状態を保持するので、キープリレー１２２，１２４は何れも付勢されない。切り状態のままである。したがって開閉表示部８０Ａの表示状態も変わらない。
【００６１】
これに対し、接地ブレード４６の接触子４７が電極２３に接合するまで、接地ブレード４６が回動すると、操作子６１ｂが第１の検知スイッチ６１用の回動レバー１３０を押圧するので、今度は第１の検知スイッチ６１のみが切り替わる。したがって図３の切り替え状態で、第１の検知スイッチ６１のみその切り替え状態が反転し、第１の検知スイッチ６１における第１のスイッチ１６１ａがオフ状態となり、第２のスイッチ１６１ｂがオン状態に切り替わる。その結果、第１の検知スイッチ６１によって接地装置４０の閉状態（入り状態）が検知される。
【００６２】
このようなスイッチ切り替えによって、通電路Ｌｂｂが閉成され、その結果電源路Ｌｂもまた閉成されるため、一方のキープリレー１２２が付勢されてリレースイッチ１２２ａ、１２４ａの切り替え状態が反転する。つまり、リレースイッチ１２２ａがオフ状態となり、他方のリレースイッチ１２４ａがオン状態となるように切り替えられて図４の切り替え状態となる。
【００６３】
図４の状態では、第１および第２の検知スイッチ６１，６２の切り替え状態は変わらず、通電路Ｌｂｂは閉成され、通電路Ｌａａは閉成されたままとなっているから、上述したようなリレースイッチ１２２ａ、１２４ａの切り替えが行われた直後では、電源路ＬａおよびＬｂは開成されたままとなる。したがって、一旦キープリレー１２２が動作した後は、これらキープリレー１２２，１２４の何れも付勢されることはない。つまり図４の切り替え状態が保持（キープ）される。
【００６４】
キープリレー１２２が作動すると、それに伴ってスイッチ９２ａも切り替えられるため、リレー９２が付勢される。リレー９２が付勢されると、リレースイッチ９４ｇ、９４ｒおよび９６の切り替え状態が反転し、この反転によって操作盤７４に設けられた赤色の表示灯８４が点灯する。
【００６５】
表示灯８４が点灯することによって保守・点検従事者は、接地装置４０が作動して電極２３が接地された状態（入り状態）にあることを認識できる。リレースイッチ９６が閉成されるため状態信号Ｓａも送出され、遠隔制御盤１００側でも接地装置４０が入り状態となっていることを認識できる。
【００６６】
ところで、上述した検知スイッチ６１，６２は何れも機械式のスイッチであるから、経年変化などによって操作子６１ｂ、６２ｂに対応した切り替え状態に復帰しないことが考えられる。例えば、接地装置４０を切り状態から入り状態に切り替えたとき、切り状態を検知するための第２の検知スイッチ６２がうまく作動しないで、一対のスイッチ１６２ａ、１６２ｂが図１の切り替え状態のままとなってしまうことが考えられる。
【００６７】
このような場合でも、第１の検知スイッチ６１は正常に作動するので、そのときの切り替え状態は図５のようになる。その結果、通電路Ｌａａ，Ｌｂｂの何れもが開成された状態になるので、電源路Ｌａ、Ｌｂとも閉成されず、リレースイッチ１２２，１２４は共に付勢されることはない。したがって、リレースイッチ１２２，１２４が交互に付勢されるようなチャタリング現象は生じない。
【００６８】
また、接地装置４０を入り状態から（図４参照）、切り状態に着替えたとき、入り状態を検知するための第１の検知スイッチ６２がうまく作動しないで、一対のスイッチ１６１ａ、１６１ｂが図４の切り替え状態のままとなってしまうことが考えられる。
【００６９】
このような場合には、第２の検知スイッチ６２は正常に作動するので、そのときの切り替え状態は図６のようになる。その結果、この場合においても通電路Ｌａａ，Ｌｂｂの何れもが開成された状態になるので、電源路Ｌａ、Ｌｂとも閉成されず、リレースイッチ１２２，１２４は共に付勢されることはない。したがって、リレースイッチ１２２，１２４が交互に付勢されるようなチャタリング現象は生じない。このように、第１および第２の検知スイッチ１２２，１２４の何れかが機械的な故障が起きたときでも、リレースイッチ１２２、１２４のチャタリング現象を防止できる。
【００７０】
なお、このような異常状態のときは、操作盤７４等の操作にも拘わらず電源路Ｌａ、Ｌｂの何れにもキープリレー付勢用の電流が流れない。そこで、操作盤７４を操作したとき、この付勢用の電流を検知する手段を設けて、ブザーや警告灯を駆動するようにすれば、検知スイッチ６１，６２の何れかが異常であることを検知し、警告できる。この異常状態のときは操作盤７４等を操作しても表示部８２や１０２の表示状態が変わらないため、この無変化によって保守・点検従事者は、リレースイッチ１２２，１２４等の異常状態を把握できる。
【実施例２】
【００７１】
上述では開閉表示部８０Ｂの表示灯８４，８６の他に、遠隔制御盤１００にも同様な表示灯１０４，１０６を設けた例を示したが、例えば遠隔制御盤１００のみに表示灯１０４，１０６を設けることもできる。その場合には、リレースイッチ９６が不用になると共に、リレースイッチ９４ｒ、９４ｇのアース端子を外部端子とし、これら外部端子を表示灯１０４，１０６に接続するようにすればよい。
【実施例３】
【００７２】
上述した実施例１はこの発明を変電所の構内に設置された断路器に使用される開閉検知装置に適用したが、断路器以外の開閉装置に使用される開閉検知装置にも適用できる。これに加えてさらに、水車発電機における導水入口弁の全開および全閉状態を検知するための開閉検知機構や、同じく水車発電機の調速機に設けられたガイドベーンの全開および全閉状態を検知する開閉検知機構などにも、この発明を適用できる。
【産業上の利用可能性】
【００７３】
この発明は、変電所構内に設置された断路器などの開閉装置に付設された開閉検知装置などに適用できる。
【図面の簡単な説明】
【００７４】
【図１】この発明に係る開閉検知装置を断路器に適用した場合の一例を示す切り状態のときの切り替え状態を示す系統図である。
【図２】この発明に使用できる検知スイッチの動作例を示す説明図である。
【図３】この発明に係る開閉検知装置を断路器に適用した場合の一例を示す入り状態に至るまでの切り替え状態を示す系統図である。
【図４】この発明に係る開閉検知装置を断路器に適用した場合の一例を示す入り状態のときの切り替え状態を示す系統図である。
【図５】第２の検知スイッチが正常に作動しないときの切り替え状態を示す系統図である。
【図６】第１の検知スイッチが正常に作動しないときの切り替え状態を示す系統図である。
【図７】送電線の保守・点検作業の説明図である。
【図８】回転式断路器の概略を示す構成図である。
【図９】その平面構成図である。
【図１０】断路器に使用されている開閉検知装置の切り替え状態（入り状態）を示す系統図である。
【図１１】入り状態から切り状態に切り替わるときの切り替え状態を示す要部の図である。
【図１２】切り状態から入り状態に切り替わるときの切り替え状態を示す要部の図である。
【符号の説明】
【００７５】
１０・・・断路器
１８，２２，２６・・・がいし
１９，２３・・・電極
３０・・・導電ブレード
４０・・・接地装置
４２・・・接地支柱
４６・・・接地ブレード
６０・・・検知手段
６１，６２・・・検知スイッチ
７４・・・操作盤
８０・・・開閉検知装置
８０Ａ・・・開閉表示部
８０Ｂ・・・表示制御部
８２・・・表示部
８４，８６・・・表示灯
９０・・・スイッチ手段
１００・・・遠隔制御盤
１２０・・・保持手段
１２２，１２４・・・キープリレー
１６１ａ、１６１ｂ（１６２ａ、１６２ｂ）・・・連動スイッチ
【図１】
2007037308.tif 000003
【図２】
2007037308.tif 000004
【図３】
2007037308.tif 000005
【図４】
2007037308.tif 000006
【図５】
2007037308.tif 000007
【図６】
2007037308.tif 000008
【図７】
2007037308.tif 000009
【図８】
2007037308.tif 000010
【図９】
2007037308.tif 000011
【図１０】
2007037308.tif 000012
【図１１】
2007037308.tif 000013
【図１２】
2007037308.tif 000014